(57)【要約】【課題】既存の無線アクセスデータ端末による高電力消費及び大放熱量の問題や、汎用コンピューターにおけるＣＰＵの低利用率等の問題を解決すること。【解決手段】本発明は、無線アクセスデータ端末、そのデータ通信の実現システム及び実現方法を提供する。上記システムは、無線アクセスデータ端末と、汎用コンピューターとを含む。前記無線アクセスデータ端末は、無線アクセスデータ端末自身によって受信されたダウンリンク無線信号を処理して、ダウンリンクデジタル同相／直交位相（Ｉ／Ｑ）信号を取得し、前記ダウンリンクデジタルＩ／Ｑ信号を汎用コンピューターに送信し、汎用コンピューターによって出力されたアップリンクデジタル情報を変換及び変調し、変調された信号を送信する。前記汎用コンピューターは、汎用コンピューター自身によって受信されたダウンリンクデジタルＩ／Ｑ信号に対して、データサービス処理を行い、送信する必要があるアップリンクデジタル情報を出力する。【選択図】図２
2013516089.tif 000002
【特許請求の範囲】
【請求項１】
無線アクセスデータ端末自身によって受信されたダウンリンク無線信号を処理して、ダウンリンクデジタル同相／直交位相（Ｉ／Ｑ）信号を取得し、前記ダウンリンクデジタルＩ／Ｑ信号を汎用コンピューターに送信し、汎用コンピューターによって出力されたアップリンクデジタル情報を変換及び変調し、変調された信号を送信する無線アクセスデータ端末と、
汎用コンピューター自身によって受信されたダウンリンクデジタルＩ／Ｑ信号に対して、データサービス処理を行い、送信する必要があるアップリンクデジタル情報を出力する汎用コンピューターと
を含む無線アクセスデータ端末のデータ通信の実現システム。
【請求項２】
前記汎用コンピューターは、
汎用コンピューター自身によって受信されたダウンリンクデジタルＩ／Ｑ信号に対して、データサービス処理を行い、システムバスを介して、送信する必要があるアップリンクデジタル情報を出力する中央処理装置（ＣＰＵ）を含む
請求項１に記載の無線アクセスデータ端末のデータ通信の実現システム。
【請求項３】
前記無線アクセスデータ端末は、具体的に、無線インターフェイスからのダウンリンク無線信号に対して、周波数混合及びアナログ−デジタル変換を行ってダウンリンクデジタルＩ／Ｑ信号を取得し、前記ダウンリンクデジタルＩ／Ｑ信号に対して、バスプロトコル変換を行い、変換された信号を前記ＣＰＵのシステムバスに送信し、ＣＰＵのシステムバスによって出力されたアップリンクデジタル情報に対して、バスプロトコル変換を行って、前記アップリンクデジタルＩ／Ｑ信号を取得し、前記アップリンクデジタルＩ／Ｑ信号に対して、デジタル−アナログ変換を行う
請求項２に記載の無線アクセスデータ端末のデータ通信の実現システム。
【請求項４】
Ａ／Ｄ変換器に接続され、受信されたダウンリンク無線信号に対して、周波数混合を行って、ダウンリンクアナログＩ／Ｑ信号を取得し、周波数混合によって取得されたダウンリンクアナログＩ／Ｑ信号をＡ／Ｄ変換器に送信し、Ａ／Ｄ変換器によって出力されたアップリンクアナログＩ／Ｑ信号を変調し、変調された信号を送信する送受信装置と、
前記送受信装置によって出力されたダウンリンクアナログＩ／Ｑ信号をダウンリンクデジタルＩ／Ｑ信号に変換し、汎用コンピューターによって出力されたアップリンクデジタル情報に対してバスプロトコル変換を行うことにより取得されたアップリンクデジタルＩ／Ｑ信号を、前記送受信装置によって送信されるアップリンクアナログＩ／Ｑ信号に変換するアナログ／デジタル（Ａ／Ｄ）変換器とを含み、
前記ダウンリンクデジタルＩ／Ｑ信号は、バスプロトコル変換が行われてから、汎用コンピューターにおける中央処理装置ＣＰＵによりデータサービス処理が行われる
無線アクセスデータ端末。
【請求項５】
前記端末は、Ａ／Ｄ変換器と汎用コンピューターにおけるＣＰＵとに接続されるバスプロトコル変換モジュールを更に含み、
前記バスプロトコル変換モジュールは、Ａ／Ｄ変換器によって出力されたダウンリンクデジタルＩ／Ｑ信号に対して、バスプロトコル変換を行い、変換された信号をＣＰＵのシステムバスに接続し、ＣＰＵのシステムバスによって出力されたアップリンクデジタル情報に対して、バスプロトコル変換を行ってアップリンクデジタルＩ／Ｑ信号を取得し、アップリンクデジタルＩ／Ｑ信号をＡ／Ｄ変換器に送信し、
及び／又は、
前記バスプロトコル変換モジュール、及び／又は前記Ａ／Ｄ変換器は、前記送受信装置に搭載される
請求項４に記載の無線アクセスデータ端末。
【請求項６】
送受信装置に接続され、アンテナを介して、無線インターフェイスからのダウンリンク無線信号を受信し、受信されたダウンリンク無線信号に対して、低雑音増幅を行い、低雑音増幅された信号を前記送受信装置に出力する低雑音増幅器と、
送受信装置に接続され、送受信装置によって変調されたアップリンク無線信号に対して、電力増幅を行い、電力増幅された信号をアンテナを介して送信する電力増幅器と、
低雑音増幅器及び電力増幅器に接続され、受信信号及び送信信号を分離するデュプレクサと
を更に含む請求項４又は５に記載の無線アクセスデータ端末。
【請求項７】
無線アクセスデータ端末が、受信されたダウンリンク無線信号を処理して、ダウンリンクデジタルＩ／Ｑ信号を取得し、前記ダウンリンクデジタルＩ／Ｑ信号に対して、バスプロトコル変換を行い、変換されたダウンリンクデジタルＩ／Ｑ信号を汎用コンピューターに送信し、前記汎用コンピューターが、受信されたダウンリンクデジタルＩ／Ｑ信号に対して、データサービス処理を行い、
及び／又は、
前記汎用コンピューターが、送信する必要があるアップリンクデジタル情報を出力し、前記無線アクセスデータ端末が、前記アップリンクデジタル情報を変換及び変調し、変調された信号を送信する
無線アクセスデータ端末のデータ通信の実現方法。
【請求項８】
前記無線アクセスデータ端末が、受信されたダウンリンク無線信号を処理するステップは、
無線アクセスデータ端末が、無線インターフェイスからのダウンリンク無線信号に対して、周波数混合を行って、ダウンリンクアナログＩ／Ｑ信号を取得することと、
前記ダウンリンクアナログＩ／Ｑ信号に対して、アナログ−デジタル変換を行ってダウンリンクデジタルＩ／Ｑ信号を取得し、前記ダウンリンクデジタルＩ／Ｑ信号に対して、バスプロトコル変換を行い、変換された信号を汎用コンピューターにおけるＣＰＵのシステムバスに送信することと
を含む請求項７に記載の無線アクセスデータ端末のデータ通信の実現方法。
【請求項９】
前記無線アクセスデータ端末が、前記アップリンクデジタル情報を変換及び変調し、変調された信号を送信するステップは、
前記無線アクセスデータ端末が、汎用コンピューターによって出力されたアップリンクデジタル情報に対して、バスプロトコル変換を行って、アップリンクデジタルＩ／Ｑ信号を取得することと、
アップリンクデジタルＩ／Ｑ信号に対して、デジタル−アナログ変換を行って、アップリンクアナログＩ／Ｑ信号を取得し、アップリンクアナログＩ／Ｑ信号を変調し、変調された信号を送信することと
を含む請求項７に記載の無線アクセスデータ端末のデータ通信の実現方法。
【請求項１０】
前記無線アクセスデータ端末が、受信されたダウンリンク無線信号に対して、低雑音増幅を行うことと、
変調されたアップリンク無線信号に対して、電力増幅を行うことと
を更に含む請求項７〜９のいずれか１項に記載の無線アクセスデータ端末のデータ通信の実現方法。
【発明の詳細な説明】
【技術分野】
【０００１】
本発明は、移動通信分野に関し、特に、無線アクセスデータ端末、及びそのデータ通信の実現システム及び実現方法に関する。
【背景技術】
【０００２】
例えばＵＳＢドングル、エクスプレスカード（Ｅｘｐｒｅｓｓ  ＣＡＲＤ）、ＰＣＭＣＩＡデータカード（ＰＣＭＣＩＡ：Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）等の、汎用コンピューターに応用される全ての無線アクセスデータ端末は、ベースバンドプロセッサを含んでいる。当該ベースバンドプロセッサは、一般的にアドバンスド縮小命令セットコンピューター（ＲＩＳＣ：Ｒｅｄｕｃｅｄ  Ｉｎｓｔｒｕｃｔｉｏｎ  Ｓｅｔ  Ｃｏｍｐｕｔｅｒ）マシン（ＡＲＭ：Ａｄｖａｎｃｅｄ  ＲＩＳＣ  Ｍａｃｈｉｎｅｓ）＋デジタル信号処理（ＤＳＰ：Ｄｉｇｉｔａｌ  Ｓｉｇｎａｌ  Ｐｒｏｃｅｓｓｉｎｇ）のアーキテクチャを用いてシグナル、プロトコル等のデータサービスを処理する。また、ベースバンドプロセッサは、ユニバーサル・シリアル・バス（ＵＳＢ：Ｕｎｉｖｅｒｓａｌ  Ｓｅｒｉａｌ  Ｂｕｓ）、パルス符号変調（ＰＣＭ：Ｐｕｌｓｅ  Ｃｏｄｅ  Ｍｏｄｕｌａｔｉｏｎ）バス等の形式を用いて、汎用コンピューターとの間でデータインタラクションを行い、これによりデータ通信を実現する。前記汎用コンピューターは、パーソナルコンピューター／デスクトップコンピューター（ＰＣ：Ｐｅｒｓｏｎａｌ  Ｃｏｍｐｕｔｅｒ）、ラップトップコンピューター（Ｌａｐｔｏｐ）等を含む。無線アクセスデータ端末が上記したような構造を有しているため、シグナル、プロトコルの処理は、汎用コンピューターにおける中央処理装置（ＣＰＵ：Ｃｅｎｔｒａｌ  Ｐｒｏｃｅｓｓｉｎｇ  Ｕｎｉｔ）のリソースを占有する必要がない。これは、無線アクセスデータ端末が高い独立性を有するという利点をもたらすものの、一方で、ベースバンドプロセッサにおける高電力消費、大放熱量及び高コスト等の問題が同時に存在している。さらに、ベースバンドプロセッサによりシグナルおよびプロトコルが処理されるため、汎用コンピューターにおけるＣＰＵ利用率が低く、汎用コンピューターの処理能力を十分に活用することができない。
【０００３】
ここで、理解を容易にするために、既存の無線アクセスデータ端末の構造を簡単に説明する。図１に示すように、既存の無線アクセスデータ端末の基本的な構造は、ベースバンドプロセッサ１０１と、ベースバンドプロセッサ１０１内に搭載されたＡ／Ｄ（デジタル／アナログ）変換器１０２と、送受信装置１０３とを含む。ベースバンドプロセッサ１０１は、シグナル、プロトコル等のデータサービスを処理し、そしてＵＳＢ、ＰＣＭバス（これらのバスを含むが、これらのバスに限定されない）等の形式を用いて、汎用コンピューターとの間でデータインタラクションを行い、これによりデータ通信を実現する。Ａ／Ｄ変換器１０２は、送受信装置１０３によって出力されたアナログ同相／直交位相（Ｉ／Ｑ：Ｉｎ−ｐｈａｓｅ／Ｑｕａｄｒａｔｕｒｅ−ｐｈａｓｅ）信号をデジタルベースバンド信号に変換し、データサービス処理を行うベースバンドプロセッサ１０１にデジタルベースバンド信号を送信する。また、Ａ／Ｄ変換器１０２は、ベースバンドプロセッサ１０１によって出力されたデジタルベースバンド信号をアナログＩ／Ｑ信号に変換し、アナログＩ／Ｑ信号を送受信装置１０３に送信する。送受信装置１０３は、無線インターフェイスからの無線信号に対して周波数混合を行ってアナログＩ／Ｑ信号を取得し、その後、アナログＩ／Ｑ信号をＡ／Ｄ変換器１０２に送信する。また、送受信装置１０３は、Ａ／Ｄ変換器１０２によって出力されたアナログＩ／Ｑ信号を変調し、変調された信号を無線インターフェイスに送信する。
【０００４】
以上の説明から理解されるように、従来の技術では、汎用コンピューターに応用される無線アクセスデータ端末は、ベースバンドプロセッサを有しているため、高電力消費、大放熱量等の問題を有している。また、ベースバンドプロセッサによりデータサービス処理が行われるため、汎用コンピューターにおけるＣＰＵ利用率が低くなる問題が引き起こされ、これにより、リソース及びコストの浪費が発生する。特に、バッテリーにより駆動されるラップトップコンピューターの場合、無線アクセスデータ端末により、ラップトップコンピューターのスタンバイ時間の低下や、ユーザによる放熱体験満足度の低下等の問題が更に引き起こされる。
【発明の概要】
【発明が解決しようとする課題】
【０００５】
本発明は、既存の無線アクセスデータ端末における高電力消費及び大放熱量の問題や、汎用コンピューターにおけるＣＰＵの低利用率等の問題を解決することができる無線アクセスデータ端末、そのデータ通信の実現システム及び実現方法を提供する。
【課題を解決するための手段】
【０００６】
上記目的を達成するために、本発明に係る無線アクセスデータ端末のデータ通信の実現システムは、無線アクセスデータ端末と、汎用コンピューターとを含む。
前記無線アクセスデータ端末は、無線アクセスデータ端末自身によって受信されたダウンリンク無線信号を処理して、ダウンリンクデジタル同相／直交位相（Ｉ／Ｑ）信号を取得し、前記ダウンリンクデジタルＩ／Ｑ信号を汎用コンピューターに送信し、汎用コンピューターによって出力されたアップリンクデジタル情報を変換及び変調し、変調された信号を送信する。
前記汎用コンピューターは、汎用コンピューター自身によって受信されたダウンリンクデジタルＩ／Ｑ信号に対して、データサービス処理を行い、送信する必要があるアップリンクデジタル情報を出力する。
【０００７】
前記システムにおいて、前記汎用コンピューターは、中央処理装置（ＣＰＵ）を含んでいてもよい。
前記中央処理装置（ＣＰＵ）は、汎用コンピューター自身によって受信されたダウンリンクデジタルＩ／Ｑ信号に対して、データサービス処理を行い、システムバスを介して、送信する必要があるアップリンクデジタル情報を出力する。
【０００８】
ここで、前記無線アクセスデータ端末は、具体的に、無線インターフェイスからのダウンリンク無線信号に対して、周波数混合及びアナログ−デジタル変換を行ってダウンリンクデジタルＩ／Ｑ信号を取得し、前記ダウンリンクデジタルＩ／Ｑ信号に対して、バスプロトコル変換を行い、変換された信号を前記ＣＰＵのシステムバスに送信し、ＣＰＵのシステムバスによって出力されたアップリンクデジタル情報に対して、バスプロトコル変換を行って、前記アップリンクデジタルＩ／Ｑ信号を取得し、前記アップリンクデジタルＩ／Ｑ信号に対して、デジタル−アナログ変換を行ってもよい。
【０００９】
対応して、本発明に係る無線アクセスデータ端末は、送受信装置と、アナログ／デジタル（Ａ／Ｄ）変換器とを含む。
送受信装置は、Ａ／Ｄ変換器に接続され、受信されたダウンリンク無線信号に対して、周波数混合を行って、ダウンリンクアナログＩ／Ｑ信号を取得し、周波数混合によって取得されたダウンリンクアナログＩ／Ｑ信号をＡ／Ｄ変換器に送信し、Ａ／Ｄ変換器によって出力されたアップリンクアナログＩ／Ｑ信号を変調し、変調された信号を送信する。
前記Ａ／Ｄ変換器は、前記送受信装置によって出力されたダウンリンクアナログＩ／Ｑ信号をダウンリンクデジタルＩ／Ｑ信号に変換し、汎用コンピューターによって出力されたアップリンクデジタル情報に対してバスプロトコル変換を行うことにより取得されたアップリンクデジタルＩ／Ｑ信号を、前記送受信装置によって送信されるアップリンクアナログＩ／Ｑ信号に変換する。
ここで、前記ダウンリンクデジタルＩ／Ｑ信号は、バスプロトコル変換が行われてから、汎用コンピューターにおける中央処理装置ＣＰＵによりデータサービス処理が行われる。
【００１０】
上記端末は、Ａ／Ｄ変換器と汎用コンピューターにおけるＣＰＵとに接続されるバスプロトコル変換モジュールを更に含んでいてもよい。
前記バスプロトコル変換モジュールは、Ａ／Ｄ変換器によって出力されたダウンリンクデジタルＩ／Ｑ信号に対して、バスプロトコル変換を行い、変換された信号をＣＰＵのシステムバスに接続し、ＣＰＵのシステムバスによって出力されたアップリンクデジタル情報に対して、バスプロトコル変換を行ってアップリンクデジタルＩ／Ｑ信号を取得し、アップリンクデジタルＩ／Ｑ信号をＡ／Ｄ変換器に送信し、
及び／又は、
前記バスプロトコル変換モジュール、及び／又は前記Ａ／Ｄ変換器は、前記送受信装置に搭載される。
【００１１】
上記端末は、低雑音増幅器と、電力増幅器と、デュプレクサとをさらに含んでいてもよい。
前記低雑音増幅器は、送受信装置に接続され、アンテナを介して、無線インターフェイスからのダウンリンク無線信号を受信し、受信されたダウンリンク無線信号に対して、低雑音増幅を行い、低雑音増幅された信号を前記送受信装置に出力する。
前記電力増幅器は、送受信装置に接続され、送受信装置によって変調されたアップリンク無線信号に対して、電力増幅を行い、電力増幅された信号をアンテナを介して送信する。
前記デュプレクサは、低雑音増幅器及び電力増幅器に接続され、受信信号及び送信信号を分離する。
【００１２】
同一の技術的思想に基づいて、本発明に係る無線アクセスデータ端末のダウンリンクデータ通信の実現方法は、無線アクセスデータ端末が、受信されたダウンリンク無線信号を処理して、ダウンリンクデジタルＩ／Ｑ信号を取得し、前記ダウンリンクデジタルＩ／Ｑ信号に対して、バスプロトコル変換を行い、変換されたダウンリンクデジタルＩ／Ｑ信号を汎用コンピューターに送信し、前記汎用コンピューターが、受信されたダウンリンクデジタルＩ／Ｑ信号に対して、データサービス処理を行い、
及び／又は、
前記汎用コンピューターが、送信する必要があるアップリンクデジタル情報を出力し、前記無線アクセスデータ端末が、前記アップリンクデジタル情報を変換及び変調し、変調された信号を送信する。
【００１３】
ここで、前記無線アクセスデータ端末が受信されたダウンリンク無線信号を処理するステップは、無線アクセスデータ端末が、無線インターフェイスからのダウンリンク無線信号に対して、周波数混合を行って、ダウンリンクアナログＩ／Ｑ信号を取得することと、前記ダウンリンクアナログＩ／Ｑ信号に対して、アナログ−デジタル変換を行ってダウンリンクデジタルＩ／Ｑ信号を取得し、前記ダウンリンクデジタルＩ／Ｑ信号に対して、バスプロトコル変換を行い、変換された信号を汎用コンピューターにおけるＣＰＵのシステムバスに送信することとを含んでいてもよい。
【００１４】
上記方法において、前記無線アクセスデータ端末が前記アップリンクデジタル情報を変換及び変調し、変調された信号を送信するステップは、前記無線アクセスデータ端末が、汎用コンピューターによって出力されたアップリンクデジタル情報に対して、バスプロトコル変換を行って、アップリンクデジタルＩ／Ｑ信号を取得することと、アップリンクデジタルＩ／Ｑ信号に対して、デジタル−アナログ変換を行って、アップリンクアナログＩ／Ｑ信号を取得し、アップリンクアナログＩ／Ｑ信号を変調し、変調された信号を送信することとを含んでいてもよい。
【００１５】
前記方法は、前記無線アクセスデータ端末が、受信されたダウンリンク無線信号に対して、低雑音増幅を行うことと、変調されたアップリンク無線信号に対して、電力増幅を行うこととを更に含んでいてもよい。
【００１６】
本発明に係る無線アクセスデータ端末、そのデータ通信の実現システム及び実現方法では、既存の無線アクセスデータ端末におけるベースバンドプロセッサの機能を汎用コンピューターにおけるＣＰＵに移植することで、当該ＣＰＵが、無線アクセスデータ端末からのデジタルＩ／Ｑ信号と、無線アクセスデータ端末へ送信するデジタルＩ／Ｑ信号とを直接的に処理することができる。このような方法によれば、汎用コンピューターに応用される無線アクセスデータ端末は、ベースバンドプロセッサをもはや含まない。これにより、無線アクセスデータ端末の電力消費量や、無線アクセスデータ端末の放熱量を低減させることができ、ユーザ体験の満足度や、汎用コンピューターにおけるＣＰＵ利用率を効果的に向上させることができる。
【００１７】
本発明の他の特徴及び利点は、後の明細書に記載されており、明細書から部分的に明らかになり、或いは本発明を実施することで明らかになる。本発明の目的及び他の利点は、明細書、特許請求の範囲、及び図面に具体的に示された構造により、実現及び取得することが可能である。
【図面の簡単な説明】
【００１８】
【図１】既存の無線アクセスデータ端末の構造を示すブロック図である。
【図２】本発明の実施形態に係る無線アクセスデータ端末の構造を示すブロック図である。
【図３】本発明実施形態に係る無線アクセスデータ端末のデータ通信の実現方法を示すフロー図である。
【発明を実施するための形態】
【００１９】
本発明に係る実施形態では、既存の無線アクセスデータ端末の高電力消費及び大放熱量の問題や、汎用コンピューターにおけるＣＰＵの低利用率の問題を解決するために、特に、新型の無線アクセスデータ端末を提供する。当該新型の無線アクセスデータ端末は、主に汎用コンピューターに応用され、汎用コンピューターが、ワイヤレスの方式を用いてモバイルインターネットにアクセスすることを実現することに用いられる。汎用コンピューターは、無線アクセスデータ端末を介して、メトロポリタン・エリア・ネットワーク（ＭＡＮ）、広域ネットワーク（ＷＡＮ）等との間でデータ接続を確立することができる。これにより、ワイヤレスでネットワークに接続するというユーザの要求が満たされる。
【００２０】
以下、明細書及び図面を参照して本発明の好ましい実施形態を説明する。ここで説明される好ましい実施形態は、単に本発明を説明及び解釈するために使用されるものであり、本発明を限定するものではない。また、矛盾しない限り、本発明の実施形態及び実施形態の特徴は、互に組み合わせることができる。
【００２１】
図２に示すように、本発明の実施形態は、まず無線アクセスデータ端末のデータ通信の実現システムを提供する。当該システムは、無線アクセスデータ端末２１及び汎用コンピューター２２を含む。
【００２２】
前記無線アクセスデータ端末２１は、前記無線アクセスデータ端末２１によって受信されたダウンリンク無線信号を処理して、ダウンリンクデジタルＩ／Ｑ信号を取得し、そして、前記ダウンリンクデジタルＩ／Ｑ信号を汎用コンピューター２２に送信する。また、無線アクセスデータ端末２１は、汎用コンピューター２２によって出力されたアップリンクデジタル情報を変換及び変調し、変調された信号を送信する。
【００２３】
好ましくは、無線アクセスデータ端末２１は、無線インターフェイスからのダウンリンク無線信号に対して、周波数混合を行い、そしてアナログ−デジタル変換を行ってダウンリンクデジタルＩ／Ｑ信号を取得し、前記ダウンリンクデジタルＩ／Ｑ信号に対して、バスプロトコル変換を行い、変換された信号を汎用コンピューター２２における中央処理装置（ＣＰＵ）２２１のシステムバスに送信する。また、無線アクセスデータ端末２１は、ＣＰＵ２２１によって出力されたアップリンクデジタル情報に対してバスプロトコル変換が行われることで取得されたアップリンクデジタルＩ／Ｑ信号に対して、デジタル−アナログ変換を行い、アナログ変換された信号を変調し、変調された信号を送信する。
【００２４】
前記汎用コンピューター２２は、前記汎用コンピューター２２によって受信されたダウンリンクデジタルＩ／Ｑ信号に対して、データサービス処理を行い、また、送信する必要があるアップリンクデジタル情報を出力する。
【００２５】
好ましくは、前記汎用コンピューター２２は、ＣＰＵ２２１を含む。汎用コンピューター２２におけるＣＰＵ２２１は、システムバスによって受信されたダウンリンクデジタルＩ／Ｑ信号に対して、データサービス処理を行い、また、システムバスを介して、送信する必要があるアップリンクデジタル情報を出力する。
【００２６】
具体的なデータサービス（例えばダウンロードサービス、ブラウジングサービス等）では、前記送信する必要があるアップリンクデジタル情報は、一般的に、汎用コンピューター２２におけるマン・マシン・インターフェイスを介してユーザによって入力されたデータ情報に応じて決定される。
【００２７】
具体的な実現方法では、汎用コンピューター２２に対して対応するソフトウェアを設計することで、ＣＰＵ２２１は、ベースバンドプロセッサの機能を有することができる。なお、前記ソフトウェアが、ベースバンドプロセッサの機能を実現することができる。ここで、前記ソフトウェアは、オペレーティングシステムの下階層におけるインターフェイス・ドライバ・ソフトウェア、オペレーティングシステムの上階層における通信プロトコル処理ソフトウェア、プロトコル処理ソフトウェアの上階層における応用処理ソフトウェア等を含む。ここで、前記オペレーティングシステムの下階層におけるインターフェイス・ドライバ・ソフトウェアは、前記インターフェイス・ドライバ・ソフトウェアが、ベースバンドプロセッサの機能を実現するための上階層におけるソフトウェアを駆動することができるように、具体的なハードウェアに対して設計することができる。
【００２８】
また、バスプロトコル変換の機能は、無線アクセスデータ端末２１により実現されてもよく、汎用コンピューター２２により実現されてもよい。
【００２９】
バスプロトコル変換の機能が、無線アクセスデータ端末２１により実現される場合、無線アクセスデータ端末２１は、更に、アナログ−デジタル変換によって取得されたダウンリンクデジタルＩ／Ｑ信号に対して、バスプロトコル変換を行う。また、無線アクセスデータ端末２１は、ＣＰＵ２２１のシステムバスによって出力されたアップリンクデジタル情報に対して、バスプロトコル変換を行ってアップリンクデジタルＩ／Ｑ信号を取得する。
【００３０】
バスプロトコル変換の機能が、汎用コンピューター２２により実現される場合、一般的に汎用コンピューター２２におけるメインボードに、バスプロトコル変換モジュールが加えられる。具体的な実施形態では、バスプロトコル変換モジュールは、グラフィックスカードに搭載することができる。
【００３１】
本発明の実施形態に係る無線アクセスデータ端末２１の構造は、図２に示すように、送受信装置２１１と、Ａ／Ｄ変換器２１２とを含む。
【００３２】
送受信装置２１１は、Ａ／Ｄ変換器２１２に接続され、無線インターフェイスからのダウンリンク無線信号に対して、周波数混合を行って、ダウンリンクアナログＩ／Ｑ信号を取得し、そして周波数混合によって取得されたダウンリンクアナログＩ／Ｑ信号をＡ／Ｄ変換器２１２に送信する。また、送受信装置２１１は、Ａ／Ｄ変換器２１２によって出力されたアップリンクアナログＩ／Ｑ信号を変調し、変調された信号を送信する。
【００３３】
Ａ／Ｄ変換器２１２は、送受信装置２１１によって出力されたダウンリンクアナログＩ／Ｑ信号をダウンリンクデジタルＩ／Ｑ信号に変換する。また、Ａ／Ｄ変換器２１２は、ＣＰＵ２２１によって出力されたアップリンクデジタル情報に対してバスプロトコル変換を行うことにより取得されたアップリンクデジタルＩ／Ｑ信号を、送受信装置２１１によって送信されるアップリンクアナログＩ／Ｑ信号に変換する。ここで、前記ダウンリンクデジタルＩ／Ｑ信号は、バスプロトコル変換が行われた後、汎用コンピューターにおける中央処理装置ＣＰＵによりデータサービス処理が行われる。
【００３４】
具体的な実施形態では、図２に示すように、前記Ａ／Ｄ変換器２１２は、ソフトウェア又はハードウェアの形式で、送受信装置２１１に搭載することができる。もちろん、Ａ／Ｄ変換器２１２及び送受信装置２１１は、２つの独立した機能モジュールとして設定することができる。
【００３５】
好ましくは、バスプロトコル変換の機能を有するようにするために、無線アクセスデータ端末２１は、バスプロトコル変換モジュール２１３を更に含んでいてもよい。
【００３６】
バスプロトコル変換モジュール２１３は、Ａ／Ｄ変換器２１２と汎用コンピューター２２におけるＣＰＵ２２１とに接続され、Ａ／Ｄ変換器２１２によって出力されたダウンリンクデジタルＩ／Ｑ信号に対して、バスプロトコル変換を行い、変換された信号をＣＰＵ２２１のシステムバスに接続する。また、バスプロトコル変換モジュール２１３は、ＣＰＵ２２１のシステムバスによって出力されたアップリンクデジタル情報に対して、バスプロトコル変換を行ってアップリンクデジタルＩ／Ｑ信号を取得し、アップリンクデジタルＩ／Ｑ信号をＡ／Ｄ変換器２１２に送信する。
【００３７】
具体的な実施形態では、前記バスプロトコルは、例えばペリフェラル・コンポーネント・インターコネクト（ＰＣＩ：Ｐｅｒｉｐｈｅｒａｌ  Ｃｏｍｐｏｎｅｎｔ  Ｉｎｔｅｒｃｏｎｎｅｃｔ）プロトコル、拡張ペリフェラル・コンポーネント・インターコネクト（ＰＣＩ−Ｘ）プロトコル、ＰＣＭＣＩＡプロトコル、ＵＳＢプロトコル、ＩＳＡ（ＩＳＡ：Ｉｎｄｕｓｔｒｉａｌ  Ｓｔａｎｄａｒｄ  Ａｒｃｈｉｔｅｃｔｕｒｅ）プロトコル、又はＥｘｐｒｅｓｓ  ＣＡＲＤプロトコル等である。これらのバス形式を介してデジタルＩ／Ｑ信号がＣＰＵ２２１のシステムバスに接続されることで、汎用コンピューター２２におけるＣＰＵ２２１が、デジタルＩ／Ｑ信号を直接的に処理するという目的を達成することができる。
【００３８】
前記バスプロトコル変換モジュール２１３は、ソフトウェア又はハードウェアの形式で送受信装置２１１に搭載することができる。もちろん、図２に示すように、バスプロトコル変換モジュール２１３及び送受信装置２１１は、２つの独立した機能モジュールとして設定することができる。
【００３９】
好ましくは、無線アクセスデータ端末２１のデータ伝送の信頼性を向上させるために、無線アクセスデータ端末２１は、低雑音増幅器２１４と、電力増幅器２１５と、デュプレクサ２１６とを更に含む。
【００４０】
低雑音増幅器２１４は、送受信装置２１１に接続され、アンテナを介して、無線インターフェイスからのダウンリンク無線信号を受信し、そして受信されたダウンリンク無線信号に対して、低雑音増幅を行い、低雑音増幅された信号を送受信装置２１１に出力する。
【００４１】
電力増幅器２１５は、送受信装置２１１に接続され、送受信装置２１１によって変調されたアップリンク無線信号に対して、電力増幅を行い、電力増幅された信号をアンテナを介して送信する。
【００４２】
デュプレクサ２１６は、低雑音増幅器２１４及び電力増幅器２１５に接続され、正常な受信及び送信を同時に行うことができるように、受信信号及び送信信号を分離する。
【００４３】
本発明の実施形態では、既存の無線アクセスデータ端末２１におけるベースバンドプロセッサの機能を汎用コンピューター２２におけるＣＰＵ２２１に移植することで、ＣＰＵ２２１が、無線アクセスデータ端末２１からのデジタルＩ／Ｑ信号と、無線アクセスデータ端末２１に送信されるデジタルＩ／Ｑ信号とを直接的に処理することができる。このような方法によれば、汎用コンピューター２２に応用される無線アクセスデータ端末２１は、ベースバンドプロセッサをもはや含まない。これにより、無線アクセスデータ端末２１の電力消費量や、無線アクセスデータ端末２１の放熱量を低減させることができ、ユーザ体験の満足度や、汎用コンピューター２２におけるＣＰＵ２２１利用率を効果的に向上させることができる。
【００４４】
同一の技術的思想に基づいて、本実施形態は、無線アクセスデータ端末のデータ通信の実現方法を提供する。概して言うと、本実施形態は、無線アクセスデータ端末のダウンリンクデータ通信の実現と、無線アクセスデータ端末のアップリンクデータ通信の実現との２種類の実施プロセスを含む。
【００４５】
（１）前記ダウンリンクデータ通信の実現プロセスでは、無線アクセスデータ端末が、受信されたダウンリンク無線信号を処理して、ダウンリンクデジタルＩ／Ｑ信号を取得する。前記ダウンリンクデジタルＩ／Ｑ信号は、バスプロトコル変換が行われてから汎用コンピューターに送信される。前記汎用コンピューターは、受信されたダウンリンクデジタルＩ／Ｑ信号に対して、データサービス処理を行う。
【００４６】
なお、前記無線アクセスデータ端末が受信されたダウンリンク無線信号を処理するステップは、無線アクセスデータ端末が、無線インターフェイスからのダウンリンク無線信号に対して、周波数混合を行って、ダウンリンクアナログＩ／Ｑ信号を取得することと、前記ダウンリンクアナログＩ／Ｑ信号に対して、アナログ−デジタル変換を行ってダウンリンクデジタルＩ／Ｑ信号を取得し、そして前記ダウンリンクデジタルＩ／Ｑ信号に対して、バスプロトコル変換を行い、変換された信号を汎用コンピューターにおけるＣＰＵのシステムバスに送信することとを含む。
【００４７】
（２）前記アップリンクデータ通信の実現プロセスでは、前記汎用コンピューターが、送信する必要があるアップリンクデジタル情報を出力し、前記無線アクセスデータ端末が、前記アップリンクデジタル情報を変換及び変調し、変調された信号を送信する。
【００４８】
上記プロセスにおいて、前記無線アクセスデータ端末が前記アップリンクデジタル情報を変換及び変調し、変調された信号を送信するステップは、前記無線アクセスデータ端末が、汎用コンピューターによって出力されたアップリンクデジタル情報に対して、バスプロトコル変換を行ってアップリンクデジタルＩ／Ｑ信号を取得することと、アップリンクデジタルＩ／Ｑ信号に対して、デジタル−アナログ変換を行ってアップリンクアナログＩ／Ｑ信号を取得し、アップリンクアナログＩ／Ｑ信号を変調し、変調された信号を送信することとを含む。
【００４９】
好ましい実現プロセスが図３に示されている。図３は、無線アクセスデータ端末のデータ通信の実現方法に係る実施形態を示している。当該方法に係る実施形態は、以下のステップを含む。
【００５０】
ステップ３０１：無線アクセスデータ端末は、無線インターフェイスからのダウンリンク無線信号に対して、周波数混合を行い、そしてアナログ−デジタル変換を行ってダウンリンクデジタルＩ／Ｑ信号を取得する。前記ダウンリンクデジタルＩ／Ｑ信号は、バスプロトコル変換が行われ、その後汎用コンピューターにおけるＣＰＵのシステムバスに接続される。
【００５１】
ステップ３０２：ＣＰＵは、システムバスによって受信されたダウンリンクデジタルＩ／Ｑ信号に対して、データサービス処理を行う。
【００５２】
ステップ３０３：ＣＰＵは、システムバスを介して、送信する必要があるアップリンクデジタル情報を出力する。
【００５３】
なお、送信する必要があるアップリンクデジタル情報は、一般的に、汎用コンピューターにおけるマン・マシン・インターフェイスを介してユーザによって入力されたデータ情報がＣＰＵにより処理されることで、取得される。
【００５４】
ステップ３０４：、無線アクセスデータ端末は、ＣＰＵによって出力されたアップリンクデジタル情報に対してバスプロトコル変換を行うことで取得されたアップリンクデジタルＩ／Ｑ信号に対して、デジタル−アナログ変換を行い、アナログ変換された信号を変調し、変調された信号を送信する。
【００５５】
なお、本発明の実施形態では、説明の便宜のために、各ステップに番号が設定されているが、具体的な実施形態では、複数のアップ・ダウンリンクデータインタラクションによってデータ通信が実現されており、ダウンリンクデータ通信（ステップ３０１及びステップ３０２）とアップリンクデータ通信（ステップ３０３及びステップ３０４）との間には、厳密な時間的な順序関係がない。つまり、ステップ３０３及びステップ３０４が、ステップ３０１及びステップ３０２の前に実行されることもある。
【００５６】
具体的な実施形態では、無線アクセスデータ端末の１つの好ましい構造は、送受信装置と、Ａ／Ｄ変換器と、バスプロトコル変換モジュールとを含む。無線アクセスデータ端末の構造として、上記好ましい構造が採用された場合、実施プロセスにおいて、前記ステップ３０１は、以下のようなサブステップを含む。
【００５７】
ステップａ１：送受信装置は、無線インターフェイスからのダウンリンク無線信号に対して、周波数混合を行い、そして周波数混合によって取得されたダウンリンクアナログＩ／Ｑ信号をＡ／Ｄ変換器に送信する。
【００５８】
ステップａ２：Ａ／Ｄ変換器は、送受信装置によって出力されたダウンリンクアナログＩ／Ｑ信号をダウンリンクデジタルＩ／Ｑ信号に変換する。
【００５９】
ステップａ３：バスプロトコル変換モジュールは、ダウンリンクデジタルＩ／Ｑ信号に対して、バスプロトコル変換を行い、変換された信号をＣＰＵのシステムバスに送信する。
【００６０】
同様に、無線アクセスデータ端末の上記具体的な構造に基づいて、具体的な実施形態では、前記ステップ３０４は、以下のようなサブステップを含む。
【００６１】
ステップｂ１：バスプロトコル変換モジュールは、ＣＰＵのシステムバスによって出力されたアップリンクデジタル情報に対して、バスプロトコル変換を行ってアップリンクデジタルＩ／Ｑ信号を取得する。
【００６２】
ステップｂ２：Ａ／Ｄ変換器は、バスプロトコル変換モジュールによって出力されたアップリンクデジタルＩ／Ｑ信号をアップリンクアナログＩ／Ｑ信号に変換する。
【００６３】
ステップｂ３：送受信装置は、Ａ／Ｄ変換器によって出力されたアップリンクアナログＩ／Ｑ信号を変調し、変調された信号を送信する。
【００６４】
具体的な実施形態では、無線アクセスデータ端末は、低雑音増幅器及び電力増幅器を更に含んでいてもよい。無線アクセスデータ端末の構造として、当該具体的な構造が採用された場合、無線アクセスデータ端末のデータ通信の実現方法は、無線アクセスデータ端末が、受信されたダウンリンク無線信号に対して、低雑音増幅を行うことと、変調されて取得されたアップリンク無線信号に対して、電力増幅を行うこととを更に含む。
【００６５】
本発明の実施形態は、方法、装置（システム）、又はコンピュータープログラム製品として提供することができることを当業者は理解するべきである。従って、本発明は、全てハードウェアで構成された実施形態、全てソフトウェアで構成された実施形態、又はソフトウェア及びハードウェアが組み合わされて構成された実施形態の形式を採用することができる。さらに、本発明は、コンピューターで使用可能なプログラムコードを含む１つ又は複数のコンピューターで使用可能な記憶媒体（ディスクメモリー、コンパクトディスク読み取り専用メモリー（ＣＤ−ＲＯＭ：Ｃｏｍｐａｃｔ  Ｄｉｓｃ  Ｒｅａｄ−Ｏｎｌｙ  Ｍｅｍｏｒｙ）、光メモリー等を含むが、これらに限定されない）で実施されるコンピュータープログラム製品の形式を採用することもできる。
【００６６】
本発明の実施形態に係る方法、装置（システム）及びコンピュータープログラム製品のフローチャート及び／又はブロック図を参照して、本発明は記載されている。フローチャート及び／又はブロック図における各プロセス及び／又は各ブロック、並びに、フローチャート及び／又はブロック図におけるプロセス及び／又はブロックの組み合わせは、コンピュータープログラム指令により実現することができると理解すべきである。これらのコンピュータープログラム指令は、汎用コンピューター、専用コンピューター、組み込みプロセッサ又は他のプログラム可能なデータ処理装置のプロセッサに提供される。これにより、コンピューター又は他のプログラム可能なデータ処理装置のプロセッサで実行された指令により、フローチャートにおける１つのプロセス又は複数のプロセス及び／又はブロック図における１つのブロック又は複数のブロックに指定された機能を実現するための装置が生成される。
【００６７】
既に本発明の好ましい実施形態が記載されているが、一旦当業者が創造性のある基本的な概念を理解すると、これらの実施形態に対して更なる変更と改良を行うことができる。このため、添付の特許請求の範囲が、好ましい実施形態、及び本発明の範囲に規定されるすべての変更及び改良を含むと解釈される。
【図１】
2013516089.tif 000003
【図２】
2013516089.tif 000004
【図３】
2013516089.tif 000005
【国際調査報告】
2013516089.tif 000006
2013516089.tif 000007
2013516089.tif 000008
2013516089.tif 000009